(57)【特許請求の範囲】
【請求項１】
１次撮像デバイスと、２次撮像デバイスと、少なくとも１つのコンピュータプロセッサと、少なくとも１つのメモリデバイスとを有する装着型機器を提供することと、
アイテム属性の種類を特定する命令を、前記少なくとも１つのメモリデバイスに記憶することと、
前記２次撮像デバイスのポインタを使用して、アイテムに光を当てることと、
前記２次撮像デバイスを使用して、光が当てられた前記アイテムの第１画像を撮像することと、
前記少なくとも１つの第１画像に、前記種類のアイテム属性が含まれるか否かを判定するために、前記少なくとも１つの第１画像を分析することと、
前記少なくとも１つの第１画像に、前記種類の前記アイテム属性が含まれると判定されたことに応じて、
前記アイテムが前記１次撮像デバイスの視野に入るように、前記１次撮像デバイスを調整することと、
前記１次撮像デバイスを使用して、前記アイテムの少なくとも１つの第２画像を撮像することと、
前記アイテム属性と前記少なくとも１つの第２画像との間の対応付けを、少なくとも１つのデータストアに記憶することと、
前記アイテムが視野外にある場合に、前記アイテムの位置を特定する命令を少なくとも１つのコンピュータディスプレイ上に表示させることと、を含む方法。
【請求項２】
前記２次撮像デバイスを使用して、前記アイテムの方向と前記アイテムまでの距離のうち少なくとも１つを特定することであって、
前記１次撮像デバイスは前記方向または前記距離に基づいて調整されることをさらに含む請求項１に記載の方法。
【請求項３】
前記少なくとも１つの第１画像または前記少なくとも１つの第２画像に基づいて、前記アイテムに関する情報を生成することと、
前記アイテムに関する前記情報を提示させることと
をさらに含む請求項１に記載の方法。
【請求項４】
前記情報は、前記装着型機器上に提示される、請求項３に記載の方法。
【請求項５】
前記アイテム属性は、バーコード、ＱＲコード（登録商標）、ボーコード、文字、数字、記号または色のうちの少なくとも１つである、請求項３に記載の方法。
【請求項６】
前記少なくとも１つの第１画像または前記少なくとも１つの第２画像に基づいて、前記アイテムに関する情報を生成することは、
前記アイテム属性を解読し、
前記解読されたアイテム属性に基づいて、前記アイテムを特定することと
を含む、請求項５に記載の方法。
【請求項７】
前記アイテムに関する前記情報は、前記装着型機器に搭載された少なくとも１つのコンピュータディスプレイ上に提示される、請求項３に記載の方法。
【請求項８】
前記方法はさらに、
前記少なくとも１つの第１画像または前記少なくとも１つの第２画像に基づいて、前記アイテムに関する情報を生成することと、
前記アイテムに関する前記情報に基づいて、前記アイテムの少なくとも１つのアイテム属性を特定することと
を含む、請求項１項に記載の方法。
【請求項９】
前記方法はさらに、
前記少なくとも１つの第１画像または前記少なくとも１つの第２画像に基づいて、前記アイテムに関する情報を生成することと、
前記アイテムに関する前記情報を、ネットワークを介して外部コンピュータへ送信することと
を含む、請求項１に記載の方法。
【請求項１０】
前記装着型機器はさらに装着型フレームを備え、
前記１次撮像デバイスと前記２次撮像デバイスのうち少なくとも１つは、前記装着型フレームに搭載される、
請求項１に記載の方法。
【請求項１１】
前記装着型フレームは、体の頭部周辺に装着されるように適合されており、
前記１次撮像デバイス及び前記２次撮像デバイスは、前記装着型フレームに搭載される、
請求項１０に記載の方法。
【請求項１２】
人体の一部に装着されるように適合されたフレームに搭載された１次撮像デバイスと、
前記フレームに搭載された２次センサと、
少なくともコンピュータディスプレイと、
前記１次撮像デバイスまたは前記２次センサのうち少なくとも１つと通信する、１つまたは複数のサービスを実行するように構成されたコンピューティングデバイスと
を備えた装着型コンピュータシステムであって、
前記１つまたは複数のサービスは、
少なくとも１つのデータストアにおいて、複数のトリガーイベントに関する情報を特定し、
前記２次センサを使用して情報を取り込み、
前記２次センサを使用して取り込んだ前記情報に基づいて、トリガーイベントが発生したか否かを判定し、
前記トリガーイベントが発生したと判定したことに応じて、
前記１次撮像デバイスを使用して、アイテムを含む少なくとも１つの画像を撮像し、
前記１次撮像デバイスを使用して撮像した前記少なくとも１つの画像に基づいて、前記アイテムに関する情報を生成し、
前記アイテムが視野外にある場合に、前記アイテムの位置を特定する命令を少なくとも１つの前記コンピュータディスプレイ上に表示させる
ように構成された、前記装着型コンピュータシステム。
【請求項１３】
前記１つまたは複数のサービスはさらに、
前記トリガーイベントに対応付けられた距離と前記トリガーイベントに対応付けられた方向のうち少なくとも１つを特定し、
前記トリガーイベントに対応付けられた前記距離または前記方向に基づいて、前記１次撮像デバイスを調整する
ように構成された、請求項１２に記載の装着型コンピュータシステム。
【請求項１４】
さらに前記２次センサに関連したポインタを備え、
前記１つまたは複数のサービスは、
前記２次センサに関連した前記ポインタによって前記アイテムの一部に光を当て、
前記情報は前記ポインタで前記アイテムに光を当てた後に、前記２次センサを使用して撮像される
ように構成された、請求項１２に記載の装着型コンピュータシステム。
【発明の詳細な説明】
【技術分野】
【０００１】
本発明は、アイレベルスキャナ及びディスプレイのポインタ追跡に関する。
【背景技術】
【０００２】
今や一部の装着型コンピュータデバイスは、静止画または動画を撮像するカメラもしくは他の光学センサを備える。このようなカメラは、装着型コンピュータデバイスを装着する身体の延長である軸上の画像を撮像するように使用され得る。例えば、人の頭部周辺に装着される装着型コンピュータデバイスは、帽子または眼鏡等の１点の衣類またはアクセサリに取り付け可能であり、そしてその人が見ている方向または顔が向いている方向の画像を撮像するように配置されたカメラを含み得る。その際、装着型コンピュータデバイスは、頭部周辺の装着型コンピュータデバイスの方向に基づいて、その人が見る画像または他の情報を取り込むこと等により、その人の視野を機能的に記録または複製し得る。このような画像もしくは他の情報、またはこれらの一部はその後、その人の片目または両目で見ることが可能なコンピュータディスプレイ（例えばその人の視野内の小型化ヘッドアップディスプレイ）上に表示され得る。
【発明の概要】
【課題を解決するための手段】
【０００３】
カメラもしくは他の光学センサを有する大半の装着型コンピュータデバイスは、選択された軸上または選択された方向の画像を撮像し得るが、このようなデバイスは一般に、ユーザの視野外、すなわち視野の軸または方向以外の軸上または方向の対象物または形体の画像を撮像することができない。さらに、このようなデバイスは一般に、このような視野内の画像を自動的に撮像するように、あるいはこのような画像内に表示される対象物または形体を自動的に認識するように、プログラムまたは構成され得ない。従って、このような画像を分析する、あるいはこのような画像のコンテンツに関する情報をユーザに提供する装着型コンピュータデバイスの能力範囲は、ユーザが既に見ているものに制限されるという点で、大半の装着型コンピュータデバイスの機能性は阻害される。その上、装着型コンピュータデバイスに搭載された、または備わるカメラもしくは他の光学センサは一般に、頭部のひねりまたは傾き等のユーザの人体動作によってのみ照準され得る。
【図面の簡単な説明】
【０００４】
【図１Ａ】本開示の実施形態による、アイレベルスキャナの図を示す。
【図１Ｂ】本開示の実施形態による、アイレベルスキャナの図を示す。
【図１Ｃ】本開示の実施形態による、アイレベルスキャナの図を示す。
【図２】本開示の実施形態による、アイレベルスキャナを含むシステムの構成要素のブロック図を示す。
【図３】本開示の実施形態による、使用時のアイレベルスキャナを含むシステムを示す。
【図４】本開示の実施形態による、アイレベルスキャナを使用してアイテムを調べる１つの処理のフローチャートを示す。
【図５】本開示の実施形態による、使用時のアイレベルスキャナを含むシステムを示す。
【図６】本開示の実施形態による、アイレベルスキャナを使用してアイテムを調べる１つの処理のフローチャートを示す。
【図７】本開示の実施形態による、使用時のアイレベルスキャナを含むシステムを示す。
【図８】本開示の実施形態による、使用時のアイレベルスキャナを含むシステムを示す。
【図９】本開示の実施形態による、アイレベルスキャナを使用してアイテムを調べる処理の一実施形態を表すフローチャートを示す。
【発明を実施するための形態】
【０００５】
さらに詳しく後述されるように、本開示は、装着型コンピュータデバイスの範囲内のアイテムを認識し、認識したアイテムに関する情報をユーザに対し、例えば１つまたは複数のコンピュータディスプレイもしくは他のコンピュータ出力デバイス上に提供する、装着型コンピュータデバイスの能力を向上することを対象とする。特に、本明細書において開示されるシステム及び方法は、例えば照準可能軸上または照準可能方向の１つまたは複数の静止画もしくは動画といった情報を取り込む１次撮像デバイス（例えばデジタルカメラ）もしくは他のセンサ、並びに２次撮像デバイスもしくはセンサとを備え得る装着型コンピューティングデバイスを対象とする。２次撮像デバイスもしくは他のセンサは、とりわけ特定の奥行のセンサ視野内の１つまたは複数の所定のアイテム、状態、状況、もしくはイベントを探索して、装着型コンピュータデバイス付近の情報を走査あるいは分析するように構成され得る。このようなアイテム、状態、状況、またはイベントは、その任意の属性に基づいて認識され得る。
【０００６】
２次撮像デバイスもしくはセンサが所定のアイテム、状態、状況、またはイベントのうちの１つまたは複数を認識すると、１次撮像デバイスもしくはセンサに対し、あるいは装着型コンピュータデバイスの装着者に対し、あるいはその他の機器またはそのユーザに対し、信号またはアラーム等のインジケータが提供され得る。インジケータは、例えば装着型コンピュータデバイスに対応付けられたアイレベルディスプレイといったコンピュータディスプレイ上に示され得る、あるいはスピーカもしくはプリンタ等のその他のコンピュータ出力デバイスにより、またはショートメッセージもしくは電子メールメッセージ等の別の形態で提供され得る。そしてインジケータに応じて任意の動作が実行され得る。例えば、装着者は、特定の軸上または特定の方向に１次撮像デバイスを手動で照準し得る（すなわちアイテムまたは状態を直接調べるため）。あるいは、１次撮像デバイスは、特定の軸上または特定の方向に自動に照準され得る。
【０００７】
図１Ａ、１Ｂ、及び１Ｃを参照すると、アイレベルスキャナ１１０を有するシステム１００が示される。図１Ａのアイレベルスキャナ１１０は、眼鏡フレーム１１１と、眼鏡フレーム１１１に搭載された１次撮像デバイス１２０と、２次センサ１３０と、アイレベルディスプレイ１４０とを備える。図１Ｂのアイレベルスキャナ１１０は、眼鏡フレーム１１１の対辺に搭載された１次撮像デバイス１２０及び２次センサ１３０、並びにアイレベルディスプレイ１４０を備える。図１Ａまたは図１Ｂの２次センサ１３０は、ブルートゥース（登録商標）または任意のワイヤレスフィデリティ（またはＷｉＦｉ）プロトコル等の標準プロトコルによる無線通信を介して、１次撮像デバイス１２０と、あるいは１つまたは複数の外部ネットワーク（図示せず）と、機能的に結合され得る。図１Ｃのアイレベルスキャナ１１０は、眼鏡フレーム１１１と、１次撮像デバイス１２０に物理的に及び／または機能的に結合され得る２次センサ１３０と一緒に眼鏡フレーム１１１に搭載された１次撮像デバイス１２０と、アイレベルディスプレイ１４０とを備える。
【０００８】
従って、本開示のシステム及び方法は、任意の数の一般的機能を行うように構成され得る１次カメラもしくはセンサと、例えば１つまたは複数の特定のアイテムもしくは状態を探索するといった１つまたは複数の特定機能を行うように構成され得る２次カメラもしくはセンサとを備え得る。本開示の１次カメラもしくはセンサ、及び２次カメラもしくはセンサは、隣接ユニット内に提供され得る、あるいは相互通信を行うシステムの個別部品として提供され得る。さらに、図１Ａ及び１Ｃの１次撮像デバイス１２０もしくは２次センサ１３０のうちのいくつかは、ユーザの頭部周辺に装着される眼鏡フレーム１１１に搭載された状態で示されるが、本明細書において開示されるシステム及び方法はそのように限定されることはなく、１次撮像デバイス１２０もしくは２次センサ１３０のうちの１つまたは複数は、体の任意の部位にも装着または取り付け可能であるが、必要ではない。同様に、図１Ａ、１Ｂ、及び１Ｃのアイレベルディスプレイ１４０は、眼鏡フレーム１１１のレンズ内に構成されているように示されるが、本明細書において開示されるシステム及び方法はそのように限定されることはなく、アイレベルスキャナ１１０の対応使用専用である必要のない、またはユーザに装着される必要のないディスプレイ、スピーカ、プリンタ等を含む任意の形態の出力デバイスを介して、システム１００のユーザに対し、あるいは他の個人またはマシンに対し、情報は提供され得る。
【０００９】
コンピュータが進化し続けるにつれ、回路基板、プロセッサ、メモリ、データストアもしくは他のストレージデバイス、及びその他の電装部品等のコンピュータ関連構成要素は、時間と共にさらに小さくなっていることを当業者は認識している。一般に認められた歴史的観測によれば、集積回路上のトランジスタの平均数、平均処理速度、平均記憶容量、及びコンピュータディスプレイの平均画素密度等のコンピュータ関連性能メトリクスは全て、ここ数十年にわたって継続的に指数関数的またはほぼ指数関数的な成長を果たした。コンピュータ技術における技術的向上によりコンピュータ構成要素の小型化が実現され、これにより、コンピュータ構成要素が使用され得る環境及びアプリケーションの数と種類は増えた。さらに、今やコンピュータは、デジタルカメラもしくは他のセンサ、プリンタ、ディスプレイ、スピーカ等の複数のアクセサリまたは周辺デバイスを含む、あるいはこれらに対応付けられ得る。このようなアクセサリまたは周辺デバイスは、コンピュータに物理的に搭載され得る、または結合され得る、あるいは１つまたは複数の有線もしくは無線手段を介してコンピュータに機能上または動作上結合され得る。
【００１０】
デジタルカメラ等の現代の光学センサは、対象物からの反射光を電子的に取り込み、１つまたは複数の態様の反射光に対しピクセル等の定量値を割当てることにより作動する。フィルムに埋め込まれた一連の感光性化学レセプタに対し光学素子を通過する光を向け、そこで起こる化学反応を利用して通過光に対応付けられた画像を生成する従来のカメラと異なり、デジタルカメラは、１つまたは複数のフィルタを有するそれに対応する１つまたは複数のセンサを備え得る。デジタルカメラのセンサは、反射光内で表される１つまたは複数の基本色（例えば赤、緑、または青）に対応する反射光の任意の数のピクセルに関する情報を取り込み、ピクセル色に対応付けられた値を１つまたは複数のデータファイルとしてデータストア内に記憶し得る、あるいはさらなる分析または複製のために外部コンピュータデバイスに対し当該値を送信し得る。デジタルカメラは、１つまたは複数の内蔵データストア、並びに１つまたは複数のリムーバブルデータストア（例えばフラッシュメモリデバイス）を備え、１つまたは複数のデータストアに記憶されたデータファイルは、紙に印刷され得る、あるいは１つまたは複数のコンピュータディスプレイ上に表示され得る、あるいはデータファイルで表されるアイテムを特定する等のために１つまたは複数の分析が行われ得る。
【００１１】
デジタルカメラは、カメラ内のセンサとレンズの間の距離、すなわち焦点距離の関数として決定されるカメラの視野内にあるアイテムの１つまたは複数の画像を撮像し得る。被写界深度、すなわち明瞭度が十分に高く及び焦点が十分に合った視野距離内に対象物が現れると、デジタルカメラはセンサを使用して任意の種類の対象物から反射される光を十分に高い解像度で取り込み、反射光に関する情報を１つまたは複数のデータファイルに記憶し得る。
【００１２】
デジタル画像内に表される形体または対象物に関する情報及び／またはデータは、任意の数の方法で画像から抽出され得る。例えば、デジタル画像内のピクセルまたはピクセル群の色は、例えばピクセル内の赤、緑、または青の量が０から２５５までの値の３つ該当数で表されるＲＧＢ（赤緑青）色モデル、あるいはピクセルの色が６文字コードで表され、各文字は１６種類あり得る１６進数モデルといった、１つまたは複数の規格により決定され定量化され得る。さらに、デジタル画像内に表される形体または対象物の質感は、例えば画像の領域または区域内の強度変化を識別すること等により、または特定の表面に対応する画像エリアを定めること等により、１つまたは複数のコンピュータベースの方法を使用して特定され得る。さらに、対象物の外形は、１つまたは複数のアルゴリズムもしくはマシン学習ツールを使用して、デジタル画像において特定され得る。例えば、いくつかのこのようなアルゴリズムまたはツールは、デジタル画像内の対象物もしくは対象物の一部の縁、輪郭、または外形を認識し、そして認識した当該対象物の縁、輪郭、または外形を、既知の対象物の縁、輪郭、または外形に関する情報を含むデータベースと一致し得る。
【００１３】
他のコンピュータ構成要素と同様に、コンピュータに対応可能なデジタルカメラもまた、ここ数年にわたって付随的に小型化され、用途が増加した。今やデジタルカメラは、スマートフォンまたはタブレットコンピュータ等の携帯型コンピューティングデバイスに頻繁に含まれ、十分に小型のレンズ、センサ、フィルタ、開口部、シャッター、または他の構成要素、並びに構成要素のうちの１つまたは複数を手動または自動で操作する、あるいはカメラの軸または方向を変更するためのモータ及び／またはコントローラを特徴とする。このようなカメラはさらに、固定焦点レンズまたは固定ズームレンズ、並びに光学ズームレンズまたはデジタルズームレンズ等の任意の種類のレンズを備え得る。さらに、このようなカメラはまた、レーザポインタまたは発光ダイオード（すなわちＬＥＤ）ポインタ等のポインティングデバイス、あるいはカメラの照準を定める、またはカメラの向きを合わせるためのポインティングデバイスも含み得る。例えば、ＬＥＤポインタまたはレーザポインタは、対象物に外部から光を当て得る、あるいはシャッターまたは他のファインダー窓に光を当てるのに使用され得る。そして当該対象物に関する距離または他のメトリクは、ポインタまたはその他の手段を使用して特定され得る。このような距離またはメトリクは、カメラの焦点距離を調整することにより、１つまたは複数のカメラもしくはセンサを設定するのに使用され得る。
【００１４】
さらに、バーコードリーダ、データタグリーダ、色センサ、温度センサ、熱センサ、または動作センサを含む他の形態の光学コンピュータベースセンサは、好適な大きさである場合、コンピュータ機器に含まれ得る。加えて、このようなセンサは、カメラもしくは他の光学センサに直接組み込まれ得る。例えば、コンピュータデバイスに対応付けられたバーコードリーダは、光源（例えばダイオード、電荷結合素子、またはレーザ）を使用してバーコードに光を当て、バーコードの交互する白と黒部分から反射される光の強度を測定することで、１次元バーコード、または２次元クイックレスポンスバーコードすなわちＱＲバーコード（登録商標）等のバーコードを読み取り、認識し得る。あるいは、バーコードリーダは、バーコードの画像を撮像し、バーコードを解読するために１つまたは複数の画像分析を行うことで、バーコードを読み取り、認識し得る。データタグリーダは、ボーコード等の１つまたは複数のデータタグに関する情報を取り込み得る。当該ボーコードは、デジタルカメラもしくは他の撮像デバイスを使用して撮像または記録され、かつそれに対応する任意の情報またはデータを特定するために解釈され得る、マスクまたはレンズに覆われた１つまたは複数のＬＥＤデバイスを含み得る。デジタルカメラ等の撮像デバイスは、文字、数字、記号、または色を含み、さらに他の情報またはデータに対応付けられ得る他のアイテムまたは識別子を認識するのに使用され得ることを、当業者はさらに認識するであろう。
【００１５】
本開示のシステム及び方法は、図１Ａ〜１Ｃのデバイス１１０等の１つまたは複数のカメラもしくはセンサを有する装着型コンピュータデバイスを提供することに関する。このようなデバイスは、１つまたは複数の一般タスクの実行専用のカメラ等の１次カメラもしくはセンサ、並びに２次カメラもしくはセンサを備え得る。当該２次カメラもしくはセンサは、もまたカメラであり得、かつ、１次カメラもしくはセンサ、または２次カメラもしくはセンサにより取込まれ得る画像または他のデジタルデータに基づいてアイテム、状態、状況、またはイベントを認識すること等により、デバイス１１０が位置する環境に関連する１つまたは複数の特定タスクを実行するようにプログラムまたは構成され得る。２次カメラもしくはセンサはまた、温度、色、または他の環境情報を感知し得、これに対応するアイテム、状態、状況、またはイベントを特定するために分析もされ得る。
【００１６】
本開示の一実施形態によれば、２次カメラもしくはセンサを使用して一度アイテム、状態、状況、またはイベントが認識されると、１次カメラもしくはセンサは、自動的に照準され得る、あるいはアイテム、状態、状況、またはイベントに対応付けられ得る１つまたは複数の画像を撮像するように操作され得る。とりわけ特定視野内または特定被写界深度において、バーコード、ボーコード、文字、数字、記号、色、商標、識別子、または他の情報を検索する等、特定機能に対応付けられた利用可能な情報の小サブセットを検索するように２次カメラもしくはセンサを照準することにより、装着型コンピューティングデバイスの情報特定能力は大いに向上され得る。
【００１７】
本開示の別の実施形態によれば、本開示の装着型コンピューティングデバイスを装着しているユーザは、関心対象物を配置し得る。ユーザは、対象物をコンピューティングデバイスの視野に入れ、ポインタで対象物に光を当て得る。装着型コンピュータデバイスに対応付けられた専用センサ（例えばカメラ、温度センサ、熱センサ、または動作センサ）は、対象物は専用センサの検出対象種であるか否かを判断し得る。光が当てられた対象物がシステムの検出対象物の種類の１つである場合、システムはセンサで対象物上の標示（例えばバーコード、ボーコード、文字、数字、記号、または色）を読み取り、これにより標示に関するデータが収集され、当該データは処理のためにコンピューティングユニットへ送信され得る。標示の付いた対象物から収集された、すなわち標示の付いた対象物に関係する任意の関連情報は、信号を送信する、アラームを鳴らす、またはコンピューティングデバイスのアイレベルディスプレイ上に当該情報の少なくとも一部を表示すること等により、ユーザに対し生成され、提供され得る。
【００１８】
本開示のさらに別の実施形態によれば、トリガーイベント、メトリクス、または規格に関する情報は、１次センサ及び２次センサを含む装着型スキャニングデバイスのコンピューティングユニットにプログラムされ得る。２次センサは、トリガーイベント、メトリクス、または規格のうちの１つまたは複数が確認されるか否かを判定するために、スキャニングデバイスが位置する環境を自動的に走査するように構成され得る。このようなメトリクスは、例えば特定の対象物もしくは識別子（アイテム上のバーコード、ボーコード、文字、数字、記号、色等）の識別、感知された温度もしくは他の環境状態、または２次センサの視野内の１つまたは複数のアイテムの動きといった、任意の所定のアイテム、状態、状況、またはイベントに関連し得る。トリガーイベント、メトリクス、または規格のうちの１つまたは複数が一度検出されると、１次センサは、トリガーメトリクが確認された環境の任意の態様を読み出し得る。１次センサはさらに、トリガーイベント、メトリクス、または規格が確認された環境の態様に関連する情報を取り込み、そしてアイレベルディスプレイ上に環境の態様に対応付けられた一部または全ての情報を表示し得る、あるいはその他の様態でユーザに対し一部または全ての当該情報を提供し得る装着型スキャニングデバイスのコンピューティングユニットに対し、取り込んだ情報を送信し得る。
【００１９】
本開示のさらに別の実施形態によれば、コンピューティングユニット及び複数のセンサを有する装着型デバイスには、１つまたは複数のアイテム、状態、状況、もしくはイベントに関する情報がプログラムされる。複数のセンサのうちの１つが対象物を検出すると、コンピューティングユニットは、当該対象物がプログラムされた情報に対応し得るか否かを判定し得る。プログラムされた情報に対象物が対応する場合、コンピューティングユニットは、対象物に関するデータをさらに取り込むために複数のセンサのうちの１つを選択し得る。当該センサの選択は、対象物に関するデータを取り込むように、対象物を検出したセンサを再設定すること、あるいはその他のセンサのうちの１つまたは複数を設定すること等により行われる。様々なセンサから取り込まれたデータは、装着型デバイスのユーザまたは別のユーザに対し、ヘッドアップディスプレイもしくはその他の形態等において表示され得る。
【００２０】
本開示のシステム及び方法は、任意の数のアプリケーションにおいて使用され得る。例えば、工事現場において、装着型スキャニングデバイスまたはコンピュータデバイスの２次センサは、極度の温度状態、高可燃性物質、またはその他の潜在的危険性を探索し、そして自動的に潜在的危険状態の方向に１次カメラを照準し得る、あるいはデバイスのユーザに対し潜在的危険状態を警告し得る。別の実施例として、医師が患者に手術を行っている間、１次カメラが手術を記録している間にも、２次カメラは、血液、肉、または骨といった存在を含む患者の画像を撮像及び鑑定し、そしてユーザに対し特定された事柄に関する情報を提供し得る。
【００２１】
さらに別の実施例として、装着型スキャニングデバイスまたはコンピューティングデバイスは、１つまたは複数のセンサを使用して進展する交通パターンを特定するのに使用され得る。すなわち、１つまたは複数のセンサは、赤色ブレーキ信号、青色交通信号、または渋滞での自動車もしくは人の動き等のパターンの態様を認識し、このようなパターンに直面した時には、１つまたは複数の追加センサを特定の方向に再配向する、あるいは運転者に警告するように自動的に設定される。さらに別の実施例として、発送センターの作業員は、１次カメラ及び２次カメラを有する装着型コンピューティングデバイスを装着しながら、１つまたは複数の機能を実行し得る。２次センサは、バーコードもしくは他の同様の識別子、１次カメラにより撮像され識別され得るバーコードもしくは識別子のアイテムもしくは他の形体、及びユーザのためのバーコード、アイテム、または形体に関する任意の関連情報を探索し得る。この点に関して、装着型コンピューティングデバイスは、ユーザが棚卸評価または品質管理分析を行う際、あるいはアイテムを格納する、または取り出す際、あるいはアイテムを在庫に戻す際、ユーザを支援し得る。
【００２２】
前述のように、本開示の装着型コンピュータデバイスは、任意の数のシステムにおいて、及び任意の数のアプリケーションにおいて使用され得る。図２を参照すると、作業員２０２が装着する眼鏡２１０の形態のアイレベルスキャナを含む１つのシステム２００のブロック図が示される。システム２００はさらに、インターネット等のネットワーク２８０を介して相互接続される、発送センター２５０と、外部ユーザ２６０と、補助ディスプレイ２７０とを備える。
【００２３】
図２に示されるように、眼鏡２１０は、１つまたは複数の一般機能もしくは特定機能を実行するためのプロセッサ２１４及びメモリ２１６を有するコンピューティングデバイス２１２を備え、線２１８で示されるようにネットワーク２８０に接続され得る。眼鏡２１０はさらに、カメラ２２０、センサ２３０、及びアイレベルディスプレイ２４０を備える。
【００２４】
コンピューティングユニット２１２及びプロセッサ２１４は、メモリ２１６、カメラ２２０、センサ２３０及び／またはアイレベルディスプレイ２４０、または他の外部構成要素と、ネットワーク２８０を介して通信し得る。メモリ２１６は、本開示の１つまたは複数の実施形態を実施するためにプロセッサ２１４が実行し得るコンピュータプログラム命令を含み、さらにランダムアクセスメモリ（ＲＡＭ）、読出専用メモリ（ＲＯＭ）、またはその他の形態の永続及び／または非一時的コンピュータ可読媒体を備え得る。メモリ２１６はさらに、プロセッサ２１４及び眼鏡２１０の他の構成要素の一般管理及び動作機能、並びに本開示の任意の態様を実施するための他の情報を提供するために、オペレーティングシステムをメモリ内部に格納し得る。
【００２５】
カメラ２２０は、図１Ａ、１Ｂ、及び１Ｃのフレーム１１１に搭載された１次撮像デバイス１２０等、例えば眼鏡２１０のフレームに搭載されたデジタルカメラといった、眼鏡２１０に搭載された、あるいは対応付けられた任意の形態の光学記録デバイスであり得る。例えば、カメラ２２０は、発送センター２５０内においてアイテムを格納する機構、設備、または他の構成要素の画像、並びに発送センター２５０内のアイテムの画像を撮影あるいは記録するのに、あるいはその他の目的で使用され得る。センサ２３０は、眼鏡２１０が位置する環境の状態を検出する任意の形態の感知デバイスであり、図１Ａ、１Ｂ、及び１Ｃに示されるように、任意の有線または無線手段によりカメラ２２０と動作上または機能上結合され得る。カメラもしくは他の光学センサ、温度センサ、熱センサ、放射線センサ、または位置及び／もしくは方向センサを含むがこれに限定されない、本開示による任意の数または種類のセンサが提供され得る。センサ２３０はカメラであり得、眼鏡２１０は任意の数のカメラもしくはセンサを含み得ることを、当業者は認識するであろう。
【００２６】
アイレベルディスプレイ２４０は、ユーザの目の高さ、あるいは目の高さ近くに配置され得る、任意の種類または形態の出力デバイスを含み得る。アイレベルディスプレイ２４０は従って、十分に小さいモニタ、または眼鏡２１０のレンズに投影されたヘッドアップディスプレイを含むがこれに限定されない、搭載された、またはユーザの視野内に見えるディスプレイデバイスを含み得る。例えば、アイレベルディスプレイ２４０は、電子インク、液晶ディスプレイ（すなわちＬＣＤ）、ＬＥＤもしくは有機発光ダイオード（すなわちＯＬＥＤ）ディスプレイ、陰極線管（すなわちＣＲＴ）、投影スクリーン等、数ある能動または受動ディスプレイ技術のうちのいずれかを取り込み得る。オーディオスピーカ等、その他の形態の出力デバイスは、アイレベルディスプレイ２４０に対応付けられ得る、あるいはアイレベルディスプレイ２４０の代用として機能し得ることを、当業者はさらに認識するであろう。
【００２７】
発送センター２５０は、アイテムの受け取り、格納、処理、及び／または配送に適応した任意の施設であり得る。発送センター２５０は、デジタルまたはアナログデータの形式で情報を送信または受信するために、またはその他の目的のために、１つまたは複数のユーザインターフェイス２５４（例えばブラウザ）を有するコンピュータ２５２及び／またはソフトウェアアプリケーション等のコンピューティングデバイスを使用して、あるいは線２５８で示されるようにネットワーク２８０に接続され得る１つまたは複数の他のコンピューティングマシンを介して、１つまたは複数の注文処理システム及び／または通信システムを運転し得る。コンピュータ２５２はまた、ワークフロー作業に関する情報またはデータを受信または表示する１つまたは複数の報知システムへのアクセスを操作または提供し、そしてワークフロー作業に関する情報またはデータに応じて１人または複数のオペレータ、ユーザ、または作業員からの対話処理（例えばテキスト、数値エントリ、または選択）を受信する、ユーザインターフェイス２５４等の１つまたは複数のインターフェイスを提供し得る。コンピュータ２５２はさらに、ワークフロー作業に関する情報またはデータを分析する、あるいは１人または複数のオペレータ、ユーザ、または作業員から受信した対話処理を分析する１つまたは複数のエンジンへのアクセスを操作または提供し得る。
【００２８】
受取ステーション２５１は、１つまたは複数の輸送元から、及び／または１つまたは複数のチャンネルを介してアイテムの積荷を受け取るために必要となり得る任意の機器を含み得る。当該任意の機器には、車、トラック、トレーラー、貨車、コンテナ船、または貨物航空機（例えば有人航空機、またはドローン等の無人航空機）等の運送機からアイテム及び／またはアイテムの積荷を取得し、取得したアイテムを格納用または顧客への配送用に用意するためのドック、リフト、クレーン、ジャッキ、ベルト、または他の運搬機器が含まれるが、これに限定されない。格納エリア２５３は、通路、列、ベイ、棚、スロット、在庫箱、ラック、段、格子、フック、整理棚、または他の格納手段等、アイテム及び／または当該アイテムのコンテナを収容するための所定の２次元または３次元スペース、あるいはその他の好適な管区またはステーションを含み得る。配送ステーション２５５は、指定の格納エリアから取り出されたアイテムを、顧客により指定された住所、所在地、届け先へ、車、トラック、トレーラー、貨車、コンテナ船、または貨物航空機（例えば有人航空機、またはドローン等の無人航空機）等の運送機をも介して配達するために、調べ、準備し、梱包し得る１つまたは複数の管区もしくはステーションを含み得る。
【００２９】
発送センター２５０はさらに、受取ステーション２５１、格納エリア２５３、または配送ステーション２５５のうちの１つまたは複数における作業を指揮するための命令を生成し得る１つまたは複数の制御システムを含み得る。当該制御システムは、コンピュータ２５２または１つまたは複数の他のコンピューティングマシンに対応付けられ、線２５８で示されるようにネットワーク２８０を介してデジタルデータを送受信することにより、作業員２０２、外部ユーザ２６０、または補助ディスプレイ２７０と通信し得る。加えて、発送センター２５０は、センター内の１つまたは複数の要素の位置を特定するために、カメラもしくは他の画像記録デバイス等の１つまたは複数のシステムもしくはデバイスを含み得る（図２において図示せず）。さらに、発送センター２５０はまた、発送センター２５０内でアイテムを扱い得る、または運搬し得る作業員２０２を含むがこれに限定されない、１人または複数の作業員または職員も含み得る。このような作業員は、発送センター内におけるアイテムの受取り、取出し、搬送、または格納を記録するために、コンピュータ２５２、すなわち、スキャナ、リーダ、キーボード、キーパッド、タッチスクリーン、または同様のデバイス等の任意の形態の入力及び／または出力周辺デバイスを備え得るパーソナルデジタルアシスタント、デジタルメディアプレーヤ、スマートフォン、タブレットコンピュータ、デスクトップコンピュータ、またはラップトップコンピュータ等の汎用デバイスといった、１つまたは複数のコンピューティングデバイスを操作し得る。
【００３０】
外部ユーザ２６０は、１つまたは複数のユーザインターフェイス２６４を含む１つまたは複数のソフトウェアアプリケーションに対し操作を行い得るまたはアクセスし得るコンピュータ２６２またはその他の同様のマシンといった、１つまたは複数のコンピューティングデバイスを利用する、作業員２０２以外の任意の実体または個人であり得る。コンピュータ２６２は、線２６８で示されるようにネットワーク２８０を介してデジタルデータを送受信することで、作業員２０２及び／または眼鏡２１０、発送センター２５０、または補助ディスプレイ２７０と接続され得る、あるいは通信し得る。例えば、外部ユーザ２６０は、コンピュータ２５２のようにスキャナ、リーダ、キーボード、キーパッド、タッチスクリーン、または同様のデバイス等の任意の形態の入力及び／または出力周辺デバイスを備え得るパーソナルデジタルアシスタント、デジタルメディアプレーヤ、スマートフォン、タブレットコンピュータ、デスクトップコンピュータ、またはラップトップコンピュータ等の汎用デバイスであり得るコンピュータ２６２を使用して、ユーザインターフェイス２６４上でカメラ２２０もしくはセンサ２３０により特定された情報を見直し得る、あるいはその他の機能を実行し得る。
【００３１】
補助ディスプレイ２７０は、カメラ２２０もしくはセンサ２３０により特定された情報等、情報が表示され得る任意の形態の外部ディスプレイデバイスであり得る。補助ディスプレイ２７０は、アイレベルディスプレイ２４０のように、電子インク、ＬＣＤ、ＬＥＤ、ＯＬＥＤ、ＣＲＴ、投影スクリーン等、数ある能動または受動ディスプレイ技術のうちのいずれかを取り込み得る。特に、補助ディスプレイ２７０は任意の物理的制約により制限される必要がないため、補助ディスプレイ２７０は、いくつかの実施形態により、大型のモニタ、テレビ画面、またはリボンボードディスプレイの形態を取り得る。
【００３２】
本明細書で説明されるコンピュータ、サーバ、デバイス等は、本明細書で説明される機能またはサービスのうちのいずれかを提供するために、及び／または本明細書で説明される結果を達成するために必要な電子デバイス、ソフトウェア、メモリ、ストレージ、データベース、ファームウェア、論理／状態マシン、マイクロプロセッサ、通信リンク、ディスプレイもしくは他のビジュアル／オーディオユーザインターフェイス、プリントデバイス、及びその他の入出力インターフェイスを有する。また、このようなコンピュータ、サーバ、デバイス等のユーザが、コンピュータ、サーバ、デバイス等と対話するため、あるいはアイテム、リンク、ノード、ハブ、または本開示のその他の態様を選択するために、キーボード、キーバッド、マウス、スタイラス、タッチスクリーン、または他のデバイス（図示せず）もしくは手段を操作し得ることを、当業者は認識するであろう。
【００３３】
本明細書で作業員、眼鏡、発送センター、または外部ユーザにより行われると説明される処理工程は、それぞれのコンピュータシステムにより実行される自動化された工程、あるいは１つまたは複数の汎用コンピュータが実行するソフトウェアモジュール（またはコンピュータプログラム）内で実施される自動化された工程であり得ることを、当業者は理解するであろう。さらに、作業員、眼鏡、発送センター、または外部ユーザにより行われると説明される処理工程は、一般に人間のオペレータにより行われ得るが、代わりに自動エージェントによっても実行可能である。
【００３４】
作業員２０２、発送センター２５０、及び／または外部ユーザ２６０は、ネットワーク２８０に接続するため、あるいはショートメッセージサービスまたはマルチメディアメッセージサービス（ＳＭＳまたはＭＭＳ）のショートメッセージ等を介してお互いに通信するために、任意のウェブ使用可能アプリケーション／機能、任意のインターネットアプリケーション／機能、または電子メール（すなわちＥメール）もしくは他のメッセージング技術を含むその他のクライアントサーバアプリケーション／機能を使用し得る。例えば、眼鏡２１０は、情報またはデータを同期メッセージまたは非同期メッセージ形式で、発送センターコンピュータ２５２、外部ユーザ２６０、補助ディスプレイ２７０、または別のコンピュータデバイスに対し、ネットワーク２８０を介してリアルタイムもしくはほぼリアルタイムに、または１つまたは複数のオフライン処理で送信するように適合され得る。作業員２０２、発送センター２５０、及び／または外部ユーザ２６０は、セットトップボックス、パーソナルデジタルアシスタント、デジタルメディアプレーヤ、ウェブパッド、ラップトップコンピュータ、デスクトップコンピュータ、電子書籍リーダ等を含むがこれに限定されない、ネットワークを介して通信可能な数あるコンピューティングデバイスのうちのいずれかを操作し得ることを、当業者は認識するであろう。このようなデバイス間の通信を提供するプロトコル及び構成要素は、コンピュータ通信の当業者にはよく知られており、本明細書においてさらに詳細に説明される必要はない。
【００３５】
本明細書で説明されるデータ及び／またはコンピュータ実行可能命令、プログラム、ファームウェア、ソフトウェア等（本明細書でコンピュータ実行構成要素とも称される）は、コンピューティングデバイス２１２、コンピュータ２５２もしくはコンピュータ２６０、または任意のコンピュータもしくは制御システム等のコンピュータ内の、またはそのようなコンピュータによりアクセス可能なコンピュータ可読媒体上に格納され得る。当該任意のコンピュータもしくは制御システムは、作業員２０２、発送センター２５０、及び／または外部ユーザ２６０により使用され、プロセッサ（例えば中央処理装置すなわちＣＰＵ）により実行されると本明細書で説明される全てのまたは一部の機能、サービス及び／または方法をプロセッサに実行させる命令シーケンスを有する。このようなコンピュータ実行可能命令、プログラム、ソフトウェア等は、フロッピードライブ、ＣＤ−ＲＯＭドライブ、ＤＶＤ−ＲＯＭドライブ、ネットワークインターフェイス等のコンピュータ可読媒体に対応付けられたドライブ機構を使用して、あるいは外部接続を介して、１つまたは複数のコンピュータのメモリへロードされ得る。
【００３６】
本開示のシステム及び方法のいくつかの実施形態はまた、本明細書で説明される処理または方法を実行するようにコンピュータ（または他の電子デバイス）をプログラムするのに使用され得る命令（圧縮または非圧縮形式）を内部に記憶している非一時的マシン可読記憶媒体を含むコンピュータ実行可能プログラム製品としても提供され得る。マシン可読記憶媒体には、ハードドライブ、フロッピーディスク、光ディスク、ＣＤ−ＲＯＭ、ＤＶＤ、ＲＯＭ、ＲＡＭ、消去可能プログラム可能ＲＯＭ（ＥＰＲＯＭ）、電気的消去可能プログラム可能ＲＯＭ（ＥＥＰＲＯＭ）、フラッシュメモリ、磁気カード、光カード、固体記憶装置、または電子命令を記憶するのに好適であり得る他の種類の媒体／マシン可読媒体が含まれるが、これに限定されない。さらに、実施形態は、一時的マシン可読信号（圧縮または非圧縮形式）を含むコンピュータ実行可能プログラム製品としても提供され得る。マシン可読信号の実施例には、搬送波を使用して変調されていようとなかろうと、コンピュータプログラムを提供または実行するコンピュータシステムまたはマシンのアクセス対象であり得る信号が含まれ得る、すなわちインターネットまたは他のネットワークを介してダウンロードされ得る信号が含まれるが、これに限定されない。
【００３７】
前述のように、本開示のシステム及び方法は、任意の種類のアイテム、状態、状況、またはイベントを調べるのに使用され得る。図３を参照すると、ユーザ３０２が使用しているアイレベルスキャナ３１０の視野３００が示される。アイレベルスキャナ３１０は、ポインタＰにより光が当てられる様々な視野と共に示される。例えば、ユーザ３０２はアイレベルスキャナ３１０を装着しながら、小荷物３０４を視野に入れ、小荷物３０４上のバーコード３０６または住所ラベル３０８等の１つまたは複数の標示に光を当て得る。アイレベルスキャナ３１０に対応付けられ、ポインタＰを有する２次カメラもしくはセンサは、例えばバーコード３０６または住所ラベル３０８といった標示自体を識別し得る。そして１次カメラもしくはセンサは、標示の１つまたは複数の画像を撮像し得る、あるいは標示を読み取り、解釈し得る。ポインタＰは、ポインタを認識するように、または標示を撮像するように手動または自動で照準され得る１次カメラもしくはセンサのガイドとして機能し、また標示までの距離を特定する基準としても役立ち得る。一度標示が読み取られ解釈されると、アイレベルスキャナ３１０は、小荷物３０４に関する情報をユーザ３０２または図２の発送センター２５０の作業員もしくは外部ユーザ２６０等のその他の実体もしくは個人に対し提供すること、あるいは当該情報の少なくとも一部をアイレベルディスプレイまたは補助コンピュータディスプレイ３７０等の他のコンピュータディスプレイにおいて表示することを含む任意の対応動作を実行し得る。
【００３８】
同様に、ユーザ３０２はアイレベルスキャナ３１０を装着しながら、補助ディスプレイ３７０または別のユーザ３９０もアイレベルスキャナの視野に入れ得る。アイレベルスキャナ３１０に対応付けられ、かつポインタＰを有する２次カメラもしくはセンサは、補助ディスプレイ３７０上に表示された１つまたは複数の文字３７２を認識し得る、または別のユーザ３９０の顔３９２を認識し得る。そして１次カメラもしくはセンサは、補助ディスプレイ３７０または顔３９２の１つまたは複数の画像を撮像し、よって文字３７２または顔３９２が識別され得る。一度文字３７２または顔３９２が識別されると、アイレベルスキャナ３１０は、補助ディスプレイ３７０上の文字３７２、または他のユーザ３９０に関する情報を、例えばアイレベルディスプレイ上にそのような情報を表示することでユーザ３０２に対し、またはその他の実体または個人に対し、提供することを含む任意の対応動作を実行し得る。
【００３９】
前に論述されたように、カメラもしくは他のセンサの視野及び／または被写界深度内の対象物が所定の種類または性質のものであるか否かを判定するように、さらに対象物に関する情報を特定するために当該対象物を調べるように、本開示の装着型コンピュータデバイスは照準され得る。図４を参照すると、アイレベルスキャナを使用してアイテムを調べる処理の一実施形態を表すフローチャート４００が示される。ボックス４１０において、本開示のいくつかの実施形態によるスキャニングシステムを装着したユーザは関心対象物を配置し、そしてボックス４２０において、ユーザは対象物を自分の視野に入れる。例えば、図３を再度参照すると、アイレベルスキャナ３１０を装着したユーザ３０２は、示されるように、小荷物３０４、補助ディスプレイ３７０、または別のユーザ３８０を配置し、自分の視野に入れ得る。
【００４０】
ボックス４２０において、ユーザはポインタで対象物に光を当て、ボックス４４０において、システムは、例えば特に対象物上の標示を認識するように対象化されたカメラもしくは他のセンサ等の専用センサにより、対象物上の標示を検出する。ポインタは、対象物までの距離を計算するのに、あるいは専用センサを対象物の位置または対象物の特定の態様へ誘導するのに使用され得る。ボックス４５０において、システムは、対象物上の標示または対象物自体が専用センサの検出対象種であるか否かを判定する。例えば、専用センサがテキスト、数字、またはバーコード等の標示を識別し解釈するように適合されている場合、ボックス４５０において、システムは、ボックス４４０において検出された標示がテキストもしくは数字の文、またはバーコード、ボーコード、ＱＲコード（登録商標）、文字、数字、記号、または色等の標示であるか否かを判定する。対象物上の標示が専用センサの識別対象種でない場合、処理はボックス４９５へ進む。
【００４１】
標示が専用センサの検出対象種である場合、処理は、システムが対象物上の標示を読み込むボックス４６０へ、そしてシステムが対象物上の標示に関するデータを処理のためにコンピューティングユニットへ送信するボックス４７０へ進む。例えば、対象物上の標示がバーコードである場合、システムは、バーコード自体を認識し、バーコードを読み取り解読し、そして解読したバーコードをさらなる分析のためにコンピューティングユニットへ送信し得る。
【００４２】
ボックス４８０において、コンピューティングユニットはデータを処理し、ボックス４９０において、コンピューティングユニットは表示データを生成し、アイレベルディスプレイに送信する。例えば、コンピューティングユニットは、解読されたバーコードに基づいて対象物を特定し、さらに対象物に関する情報を特定し得る。特定された情報は、図１Ａ、１Ｂ、１Ｃのアイレベルスキャナ１１０のアイレベルディスプレイ１４０等のアイレベルディスプレイ上に表示され得る。オーディオ、ビデオ、またはマルチメディア情報等、本開示による、ボックス４８０のデータ処理に基づいて特定され得る任意の種類の情報またはデータは、ユーザに提供され得る。
【００４３】
ボックス４９５において、システムは、ユーザがシステム上で操作を続ける意図があるか否かを特定する。ユーザがシステムを操作し続ける場合、処理は、ユーザが別の関心対象物を配置するボックス４１０へ戻る。ユーザにシステムを操作する意図がもうない場合、処理は終了する。
【００４４】
従って、本開示のシステム及び方法は、アイレベルカメラもしくは他のセンサを、１つまたは複数の標示もしくは他の印を認識し、認識した印が特定のアイテム、状態、状況、またはイベントに対応し得るか否かを判定するように構成し得る。一旦認識した印がアイテム、状態、状況、またはイベントに対応付けられると、アイテム、状態、状況、またはイベントに関する情報が特定され、ユーザに対しアイレベルディスプレイ上に、またはその他の様態で提供され得る。
【００４５】
図５を参照すると、使用時のアイレベルスキャナ５１０Ａ、５１０Ｂを含むシステム５００が示される。システム５００は、アイテムを収容するためのスペース５３２、５３６、５４２、５４６、５５２、５５６、並びにこれらのスペースに対応付けられた識別子５３４、５３８、５４４、５４８、５５４、５５８を含む複数の棚５３０、５４０、５５０を有する棚システム５２０を備える。
【００４６】
図５において示されるように、アイレベルスキャナ５１０Ａはユーザ５０２Ａにより装着され、アイレベルスキャナ５１０Ｂはユーザ５０２Ｂにより装着される。ユーザ５０２Ａは、スペース５３４をアイレベルスキャナ５１０Ａの視野に入れ、そしてポインタを識別子５４４、すなわち１次元バーコード上に合わせ得る。本開示のシステム及び方法により、アイレベルスキャナ５１０Ａの１つまたは複数のセンサは、識別子５４４に基づいてスペース５４２を特定し、スペース５４２が空であることを認識し得る。よって、スペース５４２が空であるという特定に基づいて、スペース５４２に関する情報が、アイレベルスキャナ５１０Ａのアイレベルディスプレイ上に表示され得る（例えば「スペース５４２は空です」または「スペース５４２において棚卸必要」等のメッセージが表示され得る）、あるいはアイレベルスキャナ５１０Ａからネットワーク５８０を介して外部コンピューティングデバイスへ送信され得る、あるいはユーザ５０２Ａに提供され得る。
【００４７】
同様に、ユーザ５０２Ｂは、スペース５３６をアイレベルスキャナ５１０Ｂの視野に入れ、そしてポインタを識別子５３８、すなわちＱＲバーコード（登録商標）上に合わせ得る。アイレベルスキャナ５１０Ｂの１つまたは複数のセンサは、識別子５３８に基づいてスペース５３６を特定し、スペース５３６が特定の数のアイテムを含んでいることを認識し得る。スペース５３６及びその中にあるアイテムの数の特定に基づいて、スペース５３８に関する情報が、アイレベルスキャナ５１０Ｂのアイレベルディスプレイ上に表示され得る（例えば「スペース５３６に１２本のシャルドネあり」）、あるいはアイレベルスキャナ５１０Ｂからネットワーク５８０を介して外部コンピューティングデバイスへ送信され得る、あるいはユーザ５０２Ｂに提供され得る。
【００４８】
従って、本開示のシステム及び方法は、例えば棚卸評価または品質管理分析を行うために、アイテムを特定し、アイテムの状況を自動的に調べるのに用いられ得る。本開示のポインタは、任意の形態を取ることが可能であり、そして１つまたは複数のセンサを誘導するのに、あるいはアイテムまでの距離を計算（例えばレーザ測距または他の既知の方法により）するのに使用され得る。当該１つまたは複数のセンサは、アイテム上のポインタの位置を特定し、ポインタを追うように手動または自動で照準され得る。
【００４９】
前に論述されたように、本開示のシステム及び方法は、装着型スキャニングデバイスに搭載されたセンサを使用して１つまたは複数のメトリクスを監視するように、かつ１つまたは複数のメトリクスに基づいて当該センサもしくは別のセンサの動作を引き起こす、または修正するように構成され得る。図６を参照すると、アイレベルスキャナを使用してアイテムを調べる処理の一実施形態を表すフローチャート６００が示される。ボックス６１０において、トリガーメトリクス一式が、図２の眼鏡２１０のコンピューティングユニット２１２等、スキャナデバイスのコンピューティングユニットにプログラムされる。ボックス６２０において、スキャナデバイスの２次センサが、視野を自動的に走査する。２次センサは、固定視野内の、すなわちユーザの視野と一致し得る軸上または方向のアイテム、及び／または特定被写界深度内もしくはその付近のアイテムを探すように構成され得る。あるいは、２次センサは、センサの１つまたは複数の要素を定期的に回転、移動、または調整すること等で、動的視野または変動被写界深度を調べるように構成され得る。
【００５０】
ボックス６２５において、２次センサは、例えば視野から感知された画像または他の形式の情報もしくはデータといった、データの読取りを行う。ボックス６３０において、スキャナデバイスは、２次センサのデータがトリガーメトリクスに合った状態、対象物、またはエリアを示すか否かを判定する。例えば、図５を参照すると、スキャナデバイスは、例えばバーコード５４２、５５０等のバーコードを、またはトリガーメトリクスで指定されたその他のアイテムを２次センサが識別したか否かを判定し得る。２次センサがこのような状態、対象物、またはエリアを検出しなかった場合、処理は終了する。
【００５１】
しかし２次センサデータがこのような状態、対象物、またはエリアを示す場合、処理は、１次センサが状態、対象物、またはエリアに関するデータの読取りを行うボックス６４０へ進む。例えば、図５を再度参照すると、２次センサがバーコード等の標示を識別した場合、１次センサはバーコードの画像を撮像し得る、あるいはバーコードを読み取り得る。ボックス６５０において、スキャナデバイスは、状態、対象物、またはエリアが１次センサの検出対象種であるか否かを判定する。状態、対象物、またはエリアが１次センサの検出対象種でない場合、処理は終了する。
【００５２】
しかし状態、対象物、またはエリアが１次センサの検出対象種である場合、処理は、１次センサ及び２次センサがそれぞれの読取データを処理のためにスキャナデバイスのコンピューティングユニットへ送信するボックス６６０へ進む。例えば、２次センサにより認識されたバーコードが１次センサにより読取られ解釈され得る場合、１次センサは、図２のコンピューティングユニット２１２に対するカメラ２２０からのバーコード画像、またはバーコードの分析から得られたコード（例えばテキスト、数字、または他の文字の一式）等の情報を、コンピューティングユニットに対し送信する。
【００５３】
ボックス６７０において、スキャナデバイスのコンピューティングユニットは１次センサ及び２次センサから受信したデータを処理し、そしてボックス６８０において、スキャナデバイスのコンピューティングユニットは１次センサ及び２次センサにより分析された状態、対象物、またはエリアに関する情報を生成する。例えば、図５を再度参照すると、コンピューティングユニットは、バーコード５４４、５３８の読取り、またはスペース内におけるアイテムの有無の認識に基づいてスペース５４２、５３６を特定し、そして例えば「スペース５４２は空です」または「スペース５３６に１２本のシャルドネがあります」といった当該スペースまたはアイテムに関する情報を適宜生成し得る。ボックス６９０において、スキャナデバイスのコンピューティングユニットは、例えば図１Ａ、１Ｂ、または１Ｃのアイレベルスキャナ１１０のアイレベルディスプレイ１４０といったスキャナデバイスのアイレベルディスプレイ上に、このような情報が表示されるようにし、そして処理は終了する。あるいは、スキャナデバイスのコンピューティングユニットは、このような情報が、図２の補助ディスプレイ２７０等の別のコンピュータディスプレイ上に表示されるように、またはオーディオスピーカもしくはプリンタ等の別の出力デバイスを介して、またはショートメッセージもしくは電子メールメッセージ等の別の形態で、ユーザに対し提供されるようにし得る。
【００５４】
従って、システム及び方法は、１つまたは複数のセンサに対応付けられた１つまたは複数のトリガーメトリクスに基づいて、任意の状態、対象物、またはエリアを認識するように、相互に共同して作動し得る２つまたは複数のカメラもしくは他のセンサを提供し得る。このようなトリガーメトリクが認識されると、トリガーメトリクに関する情報、または状態、対象物、もしくはエリアに関する情報が、アイレベルディスプレイ上等の任意の形態で、またはその他の出力デバイスを介して、ユーザに対し提供され得る。
【００５５】
図７を参照すると、使用時のアイレベルスキャナ７１０を含むシステム７００が示される。アイレベルスキャナ７１０は、カメラ７２０、センサ７３０、及びアイレベルディスプレイ７４０を備える。カメラ７２０は、対応標示７７４（例えばバーコード）がそこに印された対象物７７２を有するエリア７７０を含む視野を定め、そしてセンサ７３０は、標示７７４に光を当てるポインタＰを備える。図７にも示されるように、エリア７７０、対象物７７２、または標示７７４に関する情報７６０は、アイレベルディスプレイ７４０上のユーザインターフェイスにおいて示され得る。
【００５６】
前に論述されたように、本開示による１次カメラもしくはセンサまたは２次カメラもしくはセンサを使用して、任意の種類の情報が取得され、ユーザに対し提供され得る。例えば、センサ７３０は、対象物７７２上の標示７７４の位置を特定し、アイレベルスキャナ７１０と標示７７４の間の距離を特定し得る、あるいはアイレベルスキャナ７１０の置かれた環境に関するその他の入手可能情報を撮像し得る。カメラ７２０は、標示７７４、対象物７７２、またはエリア７７０の１つまたは複数の画像を撮像し、情報７６０を特定するために当該画像を適宜解釈し得る。
【００５７】
情報７６０は、任意の手段または方法により特定され、アクセスされ得る。例えば、カメラ７２０もしくはセンサ７３０は、対象物７７２またはエリア７７０を、それらの１つまたは複数の画像に基づいて認識し得る。カメラ７２０は、コラージュを形成するために、あるいは１つまたは複数の写真測定分析を介して画像をまとめて処理するために、対象物７７２またはエリア７７０の複数の画像を撮像するように指示され得る。当該写真測定分析は、対象物の外形を識別するだけでなく、商標、文字、または他のテキストを含むがこれに限定されない画像内の特定アイテムも識別するように構成され得る。例えば、図７を再度参照すると、１つまたは複数の対象物認識技術を介して、対象物７７２またはエリア７７０は、グラスである、またはグラスを含むと認識され得る。あるいは、カメラ７２０もしくはセンサ７３０は、対象物７７２またはエリア７７０を、それらに対応付けられた標示７７４に基づいて認識し得る。
【００５８】
図７に示されるように、情報７６０はユーザに対しアイレベルディスプレイ７４０上にて提示され得る。当該アイレベルディスプレイ７４０は、スキャナ７１０に対応付けられ、かつそのユーザがアクセス可能または見ることが可能な任意の種類または形態のコンピュータディスプレイであり得る。情報７６０には、１つまたは複数のカメラ７２０もしくはセンサ７３０を使用して識別または特定され得る、認識された対象物の識別子７６２、並びに、対象物に関する他の情報７６４、すなわち情報が特定された日時、及び対象物が配置されたスペースの温度を含む差込情報７６４が含まれる。
【００５９】
また前に論述されたように、本開示の装着型コンピュータデバイスまたは装着型スキャナデバイスは、１つまたは複数のセンサに対応付けられた１つまたは複数のトリガーメトリクスに基づいて任意の状態、対象物、またはエリアを識別あるいは認識する際、当該デバイスのユーザまたは装着者の視野内に当該トリガーメトリクスが識別されない場合でも、当該デバイスのユーザまたは装着者に対しトリガーメトリクスに関する命令または他の情報を提供し得る。命令は、ユーザまたは装着者に対し直接、すなわち１つまたは複数のコンピュータディスプレイ上に、あるいは１つまたは複数の他の出力デバイスを介して、提供され得る。あるいは、命令は自動的に、すなわち１次センサを使用して状態、対象物、またはエリアを識別または認識した後に２次センサを自動的に照準または位置変更すること等により、実施され得る。
【００６０】
図８を参照すると、ユーザ８０２が装着するアイレベルスキャナ８１０を含むシステム８００が示される。別段の記載がある場合を除き、図８において数字「８」で始まる参照番号は、図７において示される数字「７」で始まる参照番号を有する構成要素または機構と同様の構成要素または機構を示す。
【００６１】
図８のアイレベルスキャナ８１０は、カメラと、センサと、アイレベルディスプレイを備え得る。図８に示されるように、ユーザ８０２は、複数の棚８３０、８４０、８５０を有する棚システム８２０の一部を、カメラ８２０の視野に入れている。棚８３０、８４０、８５０は、アイテムを収容するためのスペース８３２、８３６、８４２、８４６、８５２、８５６、並びにこれらのスペースに対応付けられた識別子８３４、８３８、８４４、８４８、８５４、８５８を備える。
【００６２】
ユーザ８０２が棚８３０、８４０、８５０の第１スペース８３２をカメラで見ると、第１スペース８３２に格納されているアイテムの画像を含む第１スペース８３２に関する情報が、アイレベルディスプレイ上に表示され得る。同時に、センサは、アイレベルスキャナ８１０の置かれた環境を走査し、そして１つまたは複数のトリガーメトリクスに対応付けられ得る第２スペース８４６内のアイテム上の別の標示８４８を識別し得る。センサが標示８４８を認識すると、標示８４８に関する情報がユーザ８０２に対して、例えば図１Ａ、１Ｂ、または１Ｃのアイレベルディスプレイ１４０等のアイレベルディスプレイ上に提供され得る。例えば、図８に示されるように、情報８６０には、特定のアイテムがユーザの視野の外側にあり得ることをユーザ８０２に知らせ、かつユーザ８０２に自身の視野の方向を変えて当該アイテムの位置を特定するように推薦する命令８６２（すなわち「やわらかい紙はエリア８４６にあり（右を向く）」）が含まれる。第１スペース８３２または第２スペース８５０に関するその他の情報もしくはデータは、カメラもしくはセンサにより撮像または認識され、そしてアイレベルディスプレイ、あるいは図２の補助ディスプレイ２７０、コンピュータ２５２、またはコンピュータ２６２等の別の出力デバイスを介してユーザ８０２または他のユーザに対し提示され得る。
【００６３】
加えて、命令８６２はさらに、本開示の１つまたは複数の構成要素を自動的に操作し得ることを、当業者は認識するであろう。例えば、命令８６２、すなわち「やわらかい紙はエリア８４６にあり（右を向く）」というメッセージをアイレベルディスプレイ８４０上に表示する代わりに、本開示のシステム及び方法は、標示８４８を識別する際、カメラを自動的に回転させること等により、カメラまたはアイレベルスキャナ８１０に対応付けられたその他の構成要素の位置を変え得る。本開示によるカメラまたはセンサにより特定された情報に基づいて、任意の命令がユーザに対し直接、あるいは１つまたは複数の構成要素（例えばアイレベルスキャナ８１０または別のデバイス上のカメラ、センサ、またはディスプレイ）に対し自動的に提供され得る。
【００６４】
本開示のシステム及び方法はさらに、任意の対応メトリクス、注目点、または関連閾値を有する任意の対象物または形体に関する情報を集めるために、１つまたは複数のセンサを選択的に操作し得る。図９を参照すると、アイレベルスキャナを使用してアイテムを調べる処理の一実施形態を表すフローチャート９００が示される。ボックス９１０において、コンピューティングユニット及び複数のセンサを有する装着型デバイスには、メトリクス、注目点、及び関連閾値に関する情報がプログラムされる。このような情報は、装着型デバイスの置かれる環境、または装着型デバイスの使用が合理的に期待され得る環境において遭遇する任意のアイテム、状態、状況、またはイベントに対応し得る。
【００６５】
ボックス９２０において、複数のセンサのうちの１つが対象物を検出する。対象物がセンサの視野内に配置された時、またはセンサが実行する自動走査を伴う時等、任意の様態で対象物は識別され得る。ボックス９３０において、検出された対象物がメトリクス、注目点、または関連情報のうちの１つと一致するか否かが判定される。例えば、センサが、特定の形体、特定の温度、または特定の放射線レベルを有するアイテムを識別した場合、装着型デバイスは、形体、温度、または放射線レベルが、メトリクスのうちの１つを満たすか否か、あるいは注目点であるか否か、あるいは特定の閾値を超えるか否かを判定し得る。
【００６６】
検出された対象物がメトリクス、注目点、または関連閾値のうちの１つまたは複数に一致する場合、処理は、装着型デバイス上のコンピューティングユニットが、対象物に関するデータを取り込むセンサを特定するボックス９４０に進む。例えば、画像を撮像する、あるいは特定の被写界深度内にあるバーコード、ＱＲコード（登録商標）、ボーコード、文字、数字、記号、または色を読み取る等の特定機能を実行するように構成されたセンサを使用してアイテムが検出された場合、コンピューティングユニットは、アイテムに関するさらなるデータを集めるように適合され得るセンサのうちの１つを特定し得る。
【００６７】
ボックス９５０において、コンピューティングユニットは特定されたセンサを、検出された対象物に関するさらなるデータを取り込むように構成する。例えば、コンピューティングユニットは、対象物を最初に検出したセンサの設定を、例えばカメラの焦点距離またはシャッター速度を変更すること等により修正し得る、あるいは別のセンサを、対象物に関するデータのさらなる読み取りを行うようにプログラムし得る。ボックス９６０において、特定されたセンサはデータを取り込み、コンピューティングユニットに取り込んだデータを提供する。
【００６８】
ボックス９７０において、コンピューティングユニットは、対象物に関する追加データが必要であるか否かを判定する。対象物に関するさらなる任意の情報が必要である場合、処理は、更なる情報を集めるためにセンサを特定するボックス９４０に戻る。対象物に関するさらなる情報が必要ない場合、処理は、コンピューティングユニットが、装着型デバイスのさらなる動作が求められるか否かを特定するボックス９８０へ進む。さらなる任意の動作が望まれる場合、処理は、センサが対象物を検出するボックス９２０に戻る。さらなる動作が望まれない場合、処理は終了する。
【００６９】
本開示を実施するための例示的技術、構成要素、及び／または処理を使用して開示は説明されているが、本明細書で説明されるものと同一の機能（複数可）及び／または結果（複数可）を達成し、かつ本開示の範囲に含まれる他の技術、構成要素、及び／または処理、あるいは本明細書で説明される技術、構成要素、及び／または処理の他の組合せ及びシーケンスが使用または実行可能であることを、当業者は理解されよう。例えば、本明細書で説明される、または添付図面において示される実施形態のうちの数多くは、オンラインマーケットプレイスすなわち発送センターに出されたアイテム注文の発送における装着型コンピュータデバイスまたは装着型スキャナデバイスの使用に関連しているが、システムはそのように限定されずに、ユーザに情報を提供するためにカメラまたはセンサの使用が望まれ得る任意の関連アプリケーションと接続して使用され得る。
【００７０】
同様に、「１次」または「第１」カメラもしくはセンサ、あるいは「２次」または「第２」カメラもしくはセンサへの言及は、本質的に順序を示し、カメラ及びセンサの能力または機能を限定することを意味しない。むしろ、本明細書で別段の明記がある場合を除き、「１次」または「第１」カメラもしくはセンサは、「２次」または「第２」カメラもしくはセンサと同一の機能を実行可能であり、その逆も同様であり得る。
【００７１】
さらに、任意の種類のセンサまたは感知デバイスは、本開示の装着型コンピューティングデバイスにより使用され得る、または本開示の装着型コンピューティングデバイスに対応付けられ得る。当該任意の種類のセンサまたは感知デバイスは、マイク、空気監視センサ（例えば酸素、オゾン、水素、一酸化炭素、もしくは二酸化炭素センサ、または煙感知器）、速度計、圧力監視センサ（例えば気圧計）、赤外線センサ、オゾンモニタ、ｐＨセンサ、磁気異常検出器、金属探知機、放射線センサ（例えばガイガー計数器、中性子検出器、アルファ検出器）、高度測量器、姿勢指示器、深度計、ジャイロスコープ、羅針盤、加速度計、位置検出器（例えば１つまたは複数の全地球測位衛星（ＧＰＳ）システムを使用する検出器）等を含むが、これに限定されない。
【００７２】
本明細書において明示的または暗示的に特に指示がない限り、本明細書で説明される特定の実施形態に関わる任意の特徴、特性、代替案、修正のうちのいずれかもまた、本明細書で説明されるその他の実施形態において適用、使用、または組み込み可能であり、本開示の図面及び詳細説明は、添付の請求項で定義される様々な実施形態に対する全ての修正、均等物、及び代替案を含める意図があることを、理解されたい。さらに、図４及び６に示されるフローチャートを含むがこれに限定されない、本明細書で説明される本開示の１つまたは複数の方法または処理に関して、方法または処理のボックスもしくは工程が表示される順序は、請求項に係る発明に対する限定として解釈される意図はなく、そして任意の数のボックスもしくは工程は、本明細書で説明される方法または処理を実施するために、任意の順序で、及び／または並列に組み合わせることが可能である。また、本明細書の図面は縮尺通りに描かれていない。
【００７３】
特に明記されない限り、あるいは使用される文脈において理解されない限り、とりわけ条件付きの文言「ｃａｎ」、 「ｃｏｕｌｄ」、 「ｍｉｇｈｔ」、または「ｍａｙ」（「〜ことが可能である」または「〜し得る」）等は一般に、特定の実施形態は特定の特徴、要素、及び／またはボックスもしくは工程を含み得る、または含む可能性を有するが、これらを強制または要求しないということを、許容的に伝える意図がある。同様に、用語「ｉｎｃｌｕｄｅ」、 「ｉｎｃｌｕｄｉｎｇ」、及び「ｉｎｃｌｕｄｅｓ」等の用語は一般に、「〜を含むが、これに限定されない」ことを意味する意図がある。従って、このような条件付きの文言は一般に、特徴、要素、及び／またはボックスもしくは工程が１つまたは複数の実施形態に何らかの形で必要であるということ、あるいはこれらの特徴、要素、及び／またはボックスもしくはステップが任意の特定の実施形態において含まれている、または実行されるか否かをユーザ入力またはプロンプティングの有無に関わらず判断する論理を、１つまたは複数の実施形態が必ず含むということを、意味する意図はない。
【００７４】
発明の例示的実施形態に関して発明は説明され例示されたが、本開示の精神及び範囲から逸脱することなく、例示的実施形態において、及び例示的実施形態に対して、前述及び他の様々な追加及び省略が行われ得る。
【００７５】
（第１項）
１次撮像デバイスと、２次撮像デバイスと、少なくとも１つのコンピュータプロセッサと、少なくとも１つのメモリデバイスとを有する装着型機器を提供することと、
アイテム属性の種類を特定する命令を、少なくとも１つのメモリデバイスに記憶することと、
２次撮像デバイスを使用して、対象物の少なくとも１つの第１画像を撮像することと、
少なくとも１つの第１画像に、前記種類のアイテム属性が含まれるか否かを判定するために、少なくとも１つの第１画像を分析することと、
少なくとも１つの第１画像に、前記種類のアイテム属性が含まれると判定されたことに応じて、
対象物の少なくとも一部が１次撮像デバイスの視野に入るように、１次撮像デバイスを調整することと、
１次撮像デバイスを使用して、対象物の少なくとも１つの第２画像を撮像することと、
属性と少なくとも１つの第２画像の間の対応付けを、少なくとも１つのデータストアに記憶することと
を含む方法。
（第２項）
２次撮像デバイスを使用して、対象物の方向と対象物までの距離のうち少なくとも１つを特定することであって、
１次撮像デバイスは前記方向または距離に少なくとも一部基づいて調整される、こと
をさらに含む第１項に記載の方法。
（第３項）
少なくとも１つの第１画像または少なくとも１つの第２画像に少なくとも一部基づいて、対象物に関する情報を生成することと、
対象物に関する情報の少なくとも一部を提示させることと
をさらに含む第１項に記載の方法。
（第４項）
情報の少なくとも一部は、装着型機器上に提示される、第３項に記載の方法。
（第５項）
アイテム属性は、バーコード、ＱＲコード（登録商標）、バーコード、文字、数字、記号、色のうちの少なくとも１つである、第１項に記載の方法。
（第６項）
そこにコンピュータ実行可能命令を記憶する非一時的コンピュータ可読媒体であって、
前記命令は実行されると、少なくとも１つのコンピュータプロセッサを有するコンピュータシステムに、
第１撮像デバイスを第１センサに操作的に対応付けることであって、機器上に搭載された第１撮像デバイスまたは第１センサのうちの少なくとも１つを有する機器は、体に装着されるように適合されており、
少なくとも１つの定義済属性に関する情報を選択することと、
機器が置かれる環境に関する第１センサ情報を受信することと、
環境に関する情報が少なくとも１つの定義済属性に対応付けられることを判定することと、
少なくとも１つの定義済属性に関する信号を生成することと、
信号に応じて第１撮像デバイスを操作することと
を含む方法を実行させる、前記非一時的コンピュータ可読媒体。
（第７項）
信号に応じて第１撮像デバイスを操作することはさらに、
第１撮像デバイスを使用して、対象物の少なくとも１つの画像を撮像すること
を含む、第６項に記載の非一時的コンピュータ可読媒体。
（第８項）
信号に応じて第１撮像デバイスを操作することはさらに、
環境に関する情報に少なくとも一部基づいて、第１撮像デバイスを調整すること
を含む、第７項に記載の非一時的コンピュータ可読媒体。
（第９項）
信号に応じて第１撮像デバイスを操作することはさらに、
環境に関する情報に少なくとも一部基づいて、対象物までの距離と対象物の方向のうち少なくとも１つを特定することであって、
第１撮像デバイスは、前記対象物までの距離または対象物の方向に少なくとも一部基づいて調整される、こと
をさらに含む、第７項に記載の非一時的コンピュータ可読媒体。
（第１０項）
方法はさらに、
対象物の少なくとも１つの画像に少なくとも一部基づいて、対象物に関する情報を生成することと、
対象物に関する情報の少なくとも一部を提示させることと
を含む、第７項に記載の非一時的コンピュータ可読媒体。
（第１１項）
対象物は、バーコード、ＱＲコード（登録商標）、ボーコード、文字、数字、記号、色のうちの少なくとも１つであり、
対象物の少なくとも１つの画像に少なくとも一部基づいて、対象物に関する情報を生成することは、
対象物を解読することと、
解読された対象物に少なくとも一部基づいて、少なくとも１つのアイテムを特定することと
を含む、第１０項に記載の非一時的コンピュータ可読媒体。
（第１２項）
少なくとも１つのコンピュータディスプレイが機器に搭載される、第１０項に記載の非一時的コンピュータ可読媒体。
（第１３項）
方法はさらに、
対象物の少なくとも１つの画像に少なくとも一部基づいて、対象物に関する情報を生成することと、
対象物に関する情報に少なくとも一部基づいて、対象物の少なくとも１つの属性を特定することと
を含む、第７項に記載の非一時的コンピュータ可読媒体。
（第１４項）
方法はさらに、
対象物の少なくとも１つの画像に少なくとも一部基づいて、対象物に関する情報を生成することと、
対象物に関する情報の少なくとも一部を、ネットワークを介して外部コンピュータへ送信することと
を含む、第７項に記載の非一時的コンピュータ可読媒体。
（第１５項）
方法はさらに、
環境に関する情報の少なくとも一部を表示用に送信すること
を含む、第６項に記載の非一時的コンピュータ可読媒体。
（第１６項）
第１センサは第２撮像装置であり、
環境に関する情報は、第２撮像装置により撮像された画像を含む、
第６項に記載の非一時的コンピュータ可読媒体。
（第１７項）
環境に関する情報は、色、温度、位置のうち少なくとも１つを含む、第６項に記載の非一時的コンピュータ可読媒体。
（第１８項）
機器はさらに装着型フレームを備え、
第１撮像デバイスと第１センサのうち少なくとも１つは、装着型フレームに搭載される、
第６項に記載の非一時的コンピュータ可読媒体。
（第１９項）
装着型フレームは、体の頭部周辺に装着されるように適合されており、
第１撮像デバイス及び第１センサは、装着型フレームに搭載される、
第１８項に記載の非一時的コンピュータ可読媒体。
（第２０項）
第１センサは、
画像デバイス、
マイク、
空気監視センサ、
圧力監視センサ、
赤外線センサ、
放射線センサ、
位置センサ
のうちの少なくとも１つである、第６項に記載の非一時的コンピュータ可読媒体。
（第２１項）
人体の少なくとも一部に装着されるように適合されたフレームに搭載された１次撮像デバイスと、
フレームに搭載された２次センサと、
１次撮像デバイスと２次センサのうち少なくとも１つと通信する、１つまたは複数のサービスを実行するように構成されたコンピューティングデバイスと
を備えた装着型コンピュータシステムであって、
前記１つまたは複数のサービスは、
少なくとも１つのデータストアにおいて、複数のトリガーイベントに関する情報を特定し、
２次センサを使用して情報を取り込み、
２次センサを使用して取り込んだ情報の少なくとも一部に基づいて、トリガーイベントが発生したか否かを判定し、
トリガーイベントが発生したと判定したことに応じて、
１次撮像デバイスを使用して、少なくとも１つの画像を撮像し、
少なくとも１つの画像とトリガーイベントの間の対応付けを、少なくとも１つのデータストアに記憶する
ように構成された、前記装着型コンピュータシステム。
（第２２項）
１つまたは複数のサービスはさらに、
トリガーイベントに対応付けられた距離とトリガーイベントに対応付けられた方向のうち少なくとも１つを特定し、
トリガーイベントに対応付けられた距離または方向に少なくとも一部基づいて、１次撮像デバイスを調整する
ように構成された、第２１項に記載の装着型コンピュータシステム。
（第２３項）
１つまたは複数のサービスはさらに、
１次撮像デバイスを使用して撮像した少なくとも１つの画像に少なくとも一部基づいて、トリガーイベントに関する情報を生成する
ように構成された、第２１項に記載の装着型コンピュータシステム。
（第２４項）
１つまたは複数のサービスはさらに、
トリガーイベントに関する情報の少なくとも一部を少なくとも１つのコンピュータディスプレイ上に表示させる
ように構成された、
少なくとも１つのコンピュータディスプレイをさらに備える第２３項に記載の装着型コンピュータシステム。
0006441932.tif 000002
0006441932.tif 000003
0006441932.tif 000004
0006441932.tif 000005
0006441932.tif 000006
0006441932.tif 000007
0006441932.tif 000008
0006441932.tif 000009
0006441932.tif 000010
0006441932.tif 000011
0006441932.tif 000012
0006441932.tif 000013
0006441932.tif 000014
0006441932.tif 000015
0006441932.tif 000016
0006441932.tif 000017
0006441932.tif 000018
【図１Ａ】
0006441932.tif 000019
【図１Ｂ】
0006441932.tif 000020
【図１Ｃ】
0006441932.tif 000021
【図２】
0006441932.tif 000022
【図３】
0006441932.tif 000023
【図４】
0006441932.tif 000024
【図５】
0006441932.tif 000025
【図６】
0006441932.tif 000026
【図７】
0006441932.tif 000027
【図８】
0006441932.tif 000028
【図９】
0006441932.tif 000029